(57)【特許請求の範囲】
【請求項１】
安全カムロック継手であって、
ａ）雄および雌導管であって、前記雄および雌導管は互いに連結するように適合され、前記雄導管はその上の端部および前記端部に隣接した外周溝を有し、前記雌導管はその上の端部および前記端部に隣接してその中に配置された内部シールを有し、前記雄導管の前記端部は前記雌導管の前記シールに接触し、それによって前記雄および雌導管が互いに連結したときに漏れを防ぐ、雄および雌導管と、
ｂ）第１および第２の対のカム部材であって、各対は第１および第２のカム部材を有し、１対の前記カム部材は前記雌導管の両側に枢動可能に配置され、各前記カム部材はレバー部およびカム部を有し、各前記カム部は、前記雄導管を前記雌導管に取り外し可能に接合するように、前記雌導管の壁内の開口を通り、前記外周溝の中に枢動するように適合され、各前記カム部材は、前記雄および雌導管が互いに連結されるときの閉位置、ならびに前記雄および雌導管が互いから離断されるときの開位置を有する、第１および第２の対のカム部材と
を含み、
ｃ）前記第２のカム部材の前記カム部はフォーク部を有し、前記フォーク部は第１および第２の先端部を有し、前記第１および第２の先端部はその間に空間を有し、前記第１のカム部材の前記カム部はそれぞれの前記空間内に枢動可能に配置され、
ｄ）前記雄および雌導管は、各前記第１のカム部材が前記開位置にあり、各前記第２のカム部材が前記閉位置にあるときに、前記雄および雌導管が互いからわずかに分離した部分的に開いた位置を有し、それによって前記雄導管と前記雌導管との間に漏れの可能性があり、前記漏れが操作者に観察された場合、各前記第１のカム部材は、前記雄および雌導管が互いに再連結できるように前記閉位置に枢動可能に戻される、
安全カムロック継手。
【請求項２】
前記第１および第２のカム部材は第１の軸上で枢動する、請求項１に記載の安全カムロック継手。
【請求項３】
前記第１のカム部材は第１の軸上で枢動し、前記第２のカム部材は第２の軸上で枢動する、請求項１に記載の安全カムロック継手。
【請求項４】
前記第２のカム部材の前記カム部は、上から見たときにフォーク形状に類似している、請求項１に記載の安全カムロック継手。
【請求項５】
各前記第１のカム部材の前記カム部は、各前記第１のカム部材が前記閉位置にあるときに、前記雄および雌導管が互いに連結できるように各前記第２のカム部材の前記カム部より前記外周溝に有効に一致する、請求項１に記載の安全カムロック継手。
【請求項６】
各前記第１のカム部材の前記カム部は、各前記第１のカム部材が前記閉位置にあるときに、前記雄および雌導管が互いに連結できるように各前記第２のカム部材の前記カム部より大きい、請求項１に記載の安全カムロック継手。
【請求項７】
前記カム部材の前記レバー部上に配置された掛金をさらに含み、前記レバー部が前記開位置から前記閉位置に移動されると、前記レバー部は前記閉位置において掛金を掛けられ、前記掛金は、前記レバー部を前記閉位置から前記開位置に移動できるように掛金を外すことができる、請求項１に記載の安全カムロック継手。
【請求項８】
各前記掛金は前記雌導管の外側に装着された保持突出部を含み、ピン筐体は前記カム部材の前記レバー部に取り付けられ、ピンは各ピン筐体内に配置され、各前記ピンは、前記
レバー部のそれぞれが、前記閉位置から前記開位置に移動するのを防ぐために、前記ピンの遠位端を前記保持突出部と係合させるために付勢され、引張部材は、前記保持突出部と係合した前記ピンを引き抜くことができることにより、各前記レバー部を前記閉位置から前記開位置に移動できるように、前記ピンの近位端に取り付けられる、請求項７に記載の安全カムロック継手。
【請求項９】
各前記第２のカム部材の前記カム部は、各前記第１のカム部材の前記カム部より大きく、前記雄導管は、各前記第２のカム部材が前記開位置にあり、各前記第１のカム部材が前記閉位置にあるときに、前記雄および雌導管が互いからわずかに分離した部分的に開いた位置を有し、それによって前記雄導管と前記雌導管との間に漏れの可能性があり、前記漏れが操作者に観察された場合、各前記第２のカム部材は、前記雄および雌導管が互いに再連結できるように前記閉位置に枢動して戻される、請求項１に記載の安全カムロック継手。
【請求項１０】
安全カムロック継手であって、
ａ）その上の端部および前記端部に隣接した外周溝を有する雄導管と、
ｂ）前記雄導管に連結するように適合され、前記雄および雌導管が互いに連結されると、前記外周溝の反対側に配置された１対の対向する側部開口を有する雌導管と、
ｃ）前記雄導管と前記雌導管との間を封止するためのシールと、
ｄ）第１および第２の対のカム部材であって、各対は第１および第２のカム部材を有し、１対の前記カム部材は前記雌導管の両側に枢動可能に配置され、各前記カム部材はレバー部およびカム部を有し、前記カム部は、前記レバー部が前記閉位置において前記雌導管に隣接して置かれると、前記側部開口を通過して前記外周溝を係合し、各レバー部は、前記カム部を前記外周溝から係脱するために、前記雌導管から離れて外方に開位置に移動可能である、第１および第２の対のカム部材と、
ｅ）前記第２のカム部材の前記カム部はフォーク状であり、前記フォークはその間に空間を有し、前記第１のカム部材の前記カム部はそれぞれの前記空間内に枢動可能に配置され、
ｆ）各前記レバー部が前記閉位置にあるときに、前記雄および雌導管は連結され、それによってその間の漏れを防ぎ、
ｇ）前記雄および雌導管は、前記第１のカム部材の前記レバー部が前記開位置にあり、前記第２のカム部材の前記レバー部が前記閉位置にあるときに、わずかに分離し、それによってその間に漏れの可能性があり、前記漏れが操作者に観察された場合、各前記第１のカム部材の前記レバー部は、前記雄および雌導管が互いに再連結できるように前記閉位置に動いて戻され、
ｈ）各前記レバー部が前記開位置から前記閉位置に動いたときに、前記レバー部が前記閉位置に自動的に掛金を掛けられるように、各前記カム部材の前記レバー部を配置した掛金機構、および前記掛金機構の掛金を外し、それによって前記レバー部を前記閉位置から前記開位置に動かすことができる分離部材と
を含む、安全カムロック継手。
【請求項１１】
安全カムロック継手のための方法であって、
ａ）その上の端部および前記端部に隣接した外周溝を有する雄導管を提供するステップと、
ｂ）前記雄および雌導管が互いに連結されると、前記雄導管を受領し、前記外周溝の反対側に配置された１対の対向する側部開口を有するための前記雌導管を提供するステップと、
ｃ）前記雄導管と前記雌導管の前記端部の間を封止するステップと、
ｄ）第１および第２の対のカム部材を提供するステップであって、各対は第１および第２のカム部材を有し、１対の前記カム部材は前記雌導管の両側に枢動可能に配置され、各カム部材はレバー部およびカム部を有し、前記カム部は、前記レバー部が前記閉位置において前記雌導管に隣接して置かれると、前記側部開口を通過して前記外周溝を係合し、各レバー部は、前記カム部を前記外周溝から係脱するために、前記雌導管から離れて外方に開位置に移動可能である、提供するステップと、
ｅ）空間がフォーク部の間に提供されるように前記第２のカム部材の前記カム部をフォーク状にするステップであって、前記第１のカム部材の前記カム部はそれぞれの空間内に枢動可能に配置される、フォーク状にするステップと、
ｆ）前記レバー部が前記閉位置にあるときに、前記雄および雌導管は連結され、それによってその間の漏れを防ぎ、
ｇ）前記雄および雌導管は、前記第１のカム部材の前記レバー部が前記開位置にあり、前記第２のカム部材の前記レバー部が前記閉位置にあるときに、互いからわずかに分離し、それによってその間に漏れの可能性があり、漏れが操作者に観察された場合、前記第１のカム部材の前記レバー部は、前記雄および雌導管が互いに再連結できるように前記閉位置に動いて戻され、
ｈ）各レバー部が開位置から前記閉位置に動いたときに、前記レバー部が前記閉位置に自動的に掛金を掛けられるように、各カム部材の前記レバー部上に掛金機構を提供するステップ、および前記掛金機構の掛金を外し、それによって前記レバー部を前記閉位置から前記開位置に動かすことができるための引張部材を提供するステップと
を含む、方法。
【発明の詳細な説明】
【技術分野】
【０００１】
本発明は一般にカムロック継手に関し、より詳細には、安全ロックおよびその上にレバー掛金機構を提供する１対のダブルカムレバーを有するカムロック継手に関する。
【背景技術】
【０００２】
ダブルカムレバーを有するカムロック継手は関連技術に記載されており、安全特徴を有するカムロック継手は関連技術に記載されている。しかし本発明の独自の特徴を開示する関連技術装置はない。１９８９年２月７日付のＶａｒｇｏによる米国特許第４，８０２，６９４号は、迅速に離断する結合部を開示した。２０１５年２月１７日付のＤｉｘｏｎによる米国特許第８，９５５，８８５号は、ホース結合するロック機構を開示した。２０１２年５月８日付のＤｉｘｏｎによる米国特許第８，１７２，２７１号は、ホース結合するロック機構を開示した。２００３年４月８日付のＣｈａｎｇによる米国特許第６，５４３，８１２号は、溝アダプタに適合された自己ロックで急速に解除する結合部を開示した。１９９９年５月１８日付のＬｅｅによる米国特許第５，９０４，３８０号は、パイプ接合部を開示した。１９９８年８月１１日付のＦａｈｌらによる米国特許第５，７９１，６９４号は、結合カムアーム用のロックを開示した。１９６９年４月２２日付のＭｏｏｒｅらによる米国特許第３，４３９，９４２号は、結合部用の保持部材を開示した。２０００年８月１日付のＷｉｌｃｏｘらによる米国特許第６，０９５，１９０号は、内圧開放部を有する雌半体を備えた結合部を開示した。１９９９年１月２６日付のＤｏｎａｉｓらによる米国特許第５，８６３，０７９号は、急速に連結離断する結合部を開示した。１９９７年１月２１日付のＧｉｌｌｅｎらによる米国特許第５，５９５，２１７号は、カムロック連結システムを備えたドライブレーキの結合組立体を開示した。１９９３年８月１０日付のＡｆｌｉｎらによる米国特許第５，２３４，０１７号は、流量調整液体分配システム用の切替弁を開示した。１９８５年９月３日付のＶｏｇｌによる米国特許第４，５３８，６３２号は、排水管を有する燃料トラックまたはタンカー流出部用の遮断弁を開示した。１９８１年５月２６日付のＯｄａｒによる米国特許第４，２６９，２１５号は、蒸気流量制御弁を開示した。１９７５年１月１４日付のＬｅｄｓｔｒｏｍらによる米国特許第３，１８６０，２７４号は、パイプ結合部を開示した。Ｌａｕｆｆｅｎｂｕｒｇｅｒによる米国特許第４，２２２，５９３号は、安全ロック装置を備えた流体を輸送する結合部を開示した。２０１２年２月２８日付のＨａｒｔｍａｎによる米国特許第８，１２３，２５６号はカムロック継手用の安全ロックを開示した。２００６年１２月１２日付のＨａｒｔｍａｎによる米国特許第７，１４７，００４号は、カムロック継手用の逆止弁を開示した。１９６８年５月１４日付のＭｕｒｒａｙによる米国特許第３，３８３，１２３号は、ライン圧力に感応する安全結合部を開示した。１９９４年８月１６日付のＭｃＣａｒｔｈｙによる米国特許第５，３３８，０６９号は、ポジティブロックを迅速に解除する結合部を開示した。２０１４年１月２１日付のＦａｈｉｅらによる米国特許第８，６３２，１０３号は、カムおよび溝結合部用のロックを開示した。１９６４年３月１０日付のＫｒａｐｐによる米国特許第３，１２４，３７４号は、ロックを備えた自己換気する分離可能な結合部を開示した。１９９４年３月２２日付のＣｈｅｎによる米国特許第５，２９５，７１７号は、レバー掛金機構を開示した管連結装置を開示した。２９９５年７月２５日付のＣｈｅｎによる米国特許第５，４３５，６０４号は、レバー掛金機構を開示した管連結装置を開示した。２０１１年１２月２７日付のＣｈｅｎによる米国特許第８，０８３，２６５号は、レバー掛金機構を開示した管連結装置を開示した。カムロック継手に関連したこれらの装置は、それらが設計された目的に適切であり得るが、それらの装置は以下に記載されるような本発明の目的には適切でないはずである。説明および図面を通して示されるように、本発明は新規の方式で、また関連技術と異なって作用する。
【発明の概要】
【０００３】
本発明は、外部カムレバーが開き、内部カムレバーが閉じたままであるとき、カムロック継手の雄部および雌部が互いからわずかだけ分離するように、外部および内部を有する、協働するダブルカムレバーを有する改良されたカムロック継手を開示し、カムロック継手が依然として加圧された材料を含有するのを操作者が観察した場合、操作者がカムロック継手を直ちに再閉鎖できる。これは、外部カムレバーが開いた後、より小さいカムローブが閉位置にあり、雄部上の周囲溝の中に突出するように、外部カムレバー上により大きいカムローブおよび内部カムレバー上にフォーク型のより小さいカムローブを提供することによって達成され、雄および雌端部がその中に小空間を有し、操作者が直ちに継手を再閉鎖できるように操作者が小空間の間のあらゆる加圧された材料を目視できる。またカムレバーを開くことができる前に掛金を外さなければならない、自動レバー掛金機構を提供する実施形態も開示され、それによってカムレバーが不注意に開くのを防ぐ。
【０００４】
本発明によって解決されるように模索された主な問題は、従来の先行技術のカムロック継手の操作者が継手を開く操作に取り掛かる時に起き、その時に操作者は、従来の継手の中身が依然として圧力下にあるかどうかがわからないことがあり、中身が依然として圧力下にある場合、従来の継手が開いたときに中身が吹き出すことにより、操作者が負傷し、または材料が環境に放出されるという望ましくない可能性がある。本発明は、改良されたカムロック継手の内側の中身が加圧されたままであることを操作者が観察した場合に、改良された継手を再閉鎖できる安全ロック特徴を用いて、改良されたカムロック継手を一部だけ開くことができることによりこの問題を解決する。
【０００５】
本発明の一目的は、その上に１対の協働するダブルカムロックレバーを有するカムロック継手を提供することである。本発明のさらなる目的は、カムロック継手の正常動作の一部として、使用者が容易に操作できる安全ロックを提供することである。本発明のさらなる目的は、カムロック継手が加圧されているときにロックされたままにする安全ロックを提供することである。本発明のさらなる目的は、カムロック継手から環境を損なう材料を不注意に加圧されて排出するのを防ぐ、カムロック継手上に安全ロックを提供することである。本発明のさらなる目的は、単純に構築され、比較的安価で製造できるカムロック継手上に安全ロックを提供することである。本発明のさらなる目的は、その上にレバー掛金機構を有する１対の協働するダブルカムロックレバーを有する、カムロック継手を提供することである。
【０００６】
本発明の主な利点は、カム部材が実質的に１８０度離れて配置され、したがってカム部材の使用がもたらす関連した応力またはトルクに関連したすべての力は、本発明の教示に従って設計されたカムロック継手の周囲に均等に配分されることである。横に並んだカム部材を使用する従来のカムロック継手は、この特性を提示することが期待されないはずである。
【０００７】
前述および他の目的および利点は、続く記載から明らかになろう。記載において、その一部を形成する添付図面を参照し、本発明が実施され得る例示の特定の実施形態を用いて示されている。これらの実施形態は、当業者が本発明を実施できるように十分に詳しく記載され、他の実施形態が利用されてもよく、構造変化が本発明の範囲から逸脱することなくなされてもよいことを理解されたい。添付図面において、同様の参照特性はいくつかの図を通して同じまたは類似の部分を指定する。したがって以下の詳述は限定的な意味に取られるべきではなく、本発明の範囲は添付の特許請求の範囲によって最も良く定義される。
【図面の簡単な説明】
【０００８】
【図１】先行技術のカムロック継手の斜視図である。
【図２】本発明の第１の実施形態の斜視図である。
【図３】本発明の第２の実施形態の斜視図である。
【図４】本発明の第１の実施形態の分解斜視図である。
【図５】本発明の第１の実施形態のダブルカムレバーの斜視図である。
【図６】本発明の第２の実施形態の分解斜視図である。
【図７】本発明の第２の実施形態のダブルカムレバーの斜視図である。
【図８】説明を容易にするためにある特定の部品が斜視的に示された、本発明の第１の実施形態の断面図である。
【図９】説明を容易にするためにある特定の部品が斜視的に示された、本発明の第１の実施形態の断面図である。
【図１０】説明を容易にするためにある特定の部品が斜視的に示された、本発明の第１の実施形態の断面図である。
【図１１】説明を容易にするためにある特定の部品が斜視的に示された、本発明の第２の実施形態の断面図である。
【図１２】説明を容易にするためにある特定の部品が斜視的に示された、本発明の第２の実施形態の断面図である。
【図１３】説明を容易にするためにある特定の部品が斜視的に示された、本発明の第２の実施形態の断面図である。
【図１４】本発明の第１の実施形態の正面部分から切り取った端部立面図である。
【図１５】本発明の第２の実施形態の正面部分から切り取った端部立面図である。
【図１６】本発明の第１の実施形態のダブルカムレバーの側部立面図である。
【図１７】本発明の第２の実施形態のダブルカムレバーの側部立面図である。
【図１８】本発明の代替実施形態のダブルカムレバーの側部立面図である。
【図１９】本発明の第１の実施形態の内部カムレバーの上面図である。
【図２０】本発明のレバー掛金機構の分解斜視図である。
【図２１】本発明のレバー掛金機構の斜視図である。
【図２２】本発明の代替レバー掛金機構の斜視図である。
【図２３】説明を容易にするためにある特定の部分を切り取って示した、本発明のレバー掛金実施形態の側部立面図である。
【図２４】説明を容易にするためにある特定の部分を切り取って示した、本発明のレバー掛金実施形態の側部立面図である。
【図２５】本発明の代替実施形態のダブルカムレバーの上面図である。
【発明を実施するための形態】
【０００９】
次に図面を説明的に見ると、図１〜２５は本発明を示し、安全ロック機構を提供するために協働する１対のダブルカムレバーを有するカムロック継手が開示されている。
【００１０】
図１を見ると、そこには一緒に接合されると、それを通過して流体などが流れる導管を形成する前端１６をそれぞれが有する、雌端結合部または導管１２および雄端結合部または導管１４を有する、参照番号１０で概ね示された従来のカムロック継手の先行技術の型が示されている。その上にバンドクランプ２０を有するホース１８は、各雌部１２および雄部１４の後端２２に取り付けられ、ホース１８は約１インチ〜約８インチの大きさの範囲であり、比較的高圧を収容するように概して重い。雌部１２は１対のカムレバーまたは耳２４を有し、それぞれはレバー部２６およびその上にカム部２８を有し、そのカム部は、ホース１８を備えた２つの部分１２、１４が、材料がそこを通過できるように導管を形成するために一緒に接合されるように、雌部のカム部２８が雄部の外側の周囲溝３０内に着座することにより、雌端１２を雄端１４にロックする。カム部２８は、耳２４が軸３６上で枢動する際に、雌端１２の前端１６付近で壁３４内の開口３２を通って突起する。方向矢印を使用して、雌端１２に実質的に平行で雌端１２に隣接して置く閉位置と、カム部が溝３０から係脱するように雌部１２から離れて外方に動いた開位置との間の耳２４の動きを示す。またそこには可撓性円形ガスケットまたはＯリングシール４０を有する環状フランジ３８も雌端１２の内側に示されており、フランジおよびガスケットは、従来の方式で雄端部１４の端部１６とシール接触させるために、雌部の内周の周囲全体に延在する。耳２４は、それぞれが雌結合部１２の両側に配置された第１の左ボス４２、および第２の右ボス４４を通って延在する、軸３６の上に装着される。またカムロック継手１０の中心線４６も示されている。先行技術のカムロック継手１０の主な欠点は、完全に閉じ、または完全に開くように設計されており、したがって安全ロック機構が供給されないことである。
【００１１】
図２〜３を見ると、そこには本発明の改良されたカムロック継手５４の２つの実施形態４８、５０が示されており、図２は実施形態４８を示し、図３は実施形態５０を示す。図２〜３は、図１に示された先行技術のカムロック継手１０にいくつかの点で類似しているが、その上に装着された実施形態４８、５０に起因して重要な差異があるカムロック継手５４を示す。そこには、一緒に接合されるときにそこを流体などが通過する導管を形成する前端６０をそれぞれが有する、雌端結合部または導管５６および雄端結合部または導管５８を有する、カムロック継手５４が示されている。本発明は、２つのカムレバーの代わりに合計４つのカムレバー（すなわち２対のダブルカムレバー／耳）が存在し、ダブルカムレバーは安全ロックを提供するために互いに協働することを除いて、図１に示された先行技術のカムロック継手１０に類似して作動する。図２〜３に示された各カムロック継手５４は互いに類似しているが、カムロックレバーの異なる実施形態４８、５０がその上に装着されている。
【００１２】
図２を見ると、そこには、雌端部５６の両側に装着された１対のダブルカムレバーまたは部材６２、６４を有する好ましい実施形態４８が示されており、各対は外部カムレバー６２および内部カムレバー６４を有する。外部カムレバー６２はレバー部６６および偏心カムローブ部６８を有し、また内部カムレバー６４もレバー部７０ならびに第１および第２の偏心カムローブ部７２を有し、第１および第２のカムローブ部は、一定距離を離間されるフォーク形状部の２つの先端を形成し、それによってカムローブ部６８は２つの先端の間でその中に十分に嵌合できる切欠きまたは空間１１０を生成し、２つの先端により内部および外部カムレバー６２、６４は雌端部５６を中心に対称に配置され、雌端部５６は、本発明の教示に従って作成されたカムロック継手５４の耐用期間を通して平滑な作動を確実にする。カムローブ部７２は、上から見たときにフォーク形状に似ており（図１９参照）、フォークの２つの類似した第１および第２の先端／枝は、空間１１０の間でその中に配置されたカムローブ６８を有し、当然のことながらローブ６８、７２の位置は互いに対して逆向きであることが可能であり、より大きいローブ部６８はフォーク部７２として製造することができるので、より小さいローブ部は、図１８に示されたように、より大きいフォーク部の内側に配置されるはずである。外部カム耳６２のレバー部６６は、内部カム耳６４のレバー部７０より大きい、すなわちより広いので、レバー部６６は操作者の手でより容易に把持され、また内部カム耳は、外部カム耳が開いた後まで開いていることは意図されず、より広い外部耳を有することによりこの目的の達成を支援する。レバー６２、６４とともに使用するためのレバー掛金機構１１３は図２０〜２４に記載されている。
【００１３】
１軸７４はカムローブ部６８、７２の実質的に中心に配置された孔７６を通過し、軸の端部は各ボスの孔８２を通過することにより、第１および第２のボス７８、８０上に担持される。雄および雌端部５６、５８は、それぞれが後端部８４を有し、雄端部はその上に外周溝８６を有する。雌端部５６はその対向する壁内に開口８８を有し、そこをカムローブ６８、７２が通過する。外部カム耳６２のカムローブ部６８は異なって構成され、図８〜１０および図１６に最も良く示されたように、内部カム耳６４のカムローブ部７２より大きくてもよいので、外部および内部耳６２、６４が閉じているとき、カムローブ６８は溝８６と実質的に同じ大きさおよび形状であるので、雄端部５８が雌端部５６を完全にシール閉鎖し、または雄端部５８が雌端部５６に連結するように、カムローブ部６８は溝８６内に嵌合し、または係合する。これは、雄導管５８の端部６０が雌導管５６の内側のシールガスケットに対して軸方向にシール位置に動くような方法で、カムローブ部６８が溝８６を係合するような大きさまたは形状に有効に構成されることに起因する。それと対照的に、カムローブ６８を備えた外部カム耳６２が開き、より小さいカムローブ７２が開いていないときに、雄端部５８は、溝８６より小さい、すなわち異なって構成されるより小さいカムローブ７２は、緩く嵌合する溝８６を完全には満たさず、それによって先に開示されたように前端６０と雌端部５６との間にわずかな空間が形成されるので、図８〜１３に最も良く示され、図８〜１３に関して説明されたように、雄端部５８と雌端部５６の前端６０との間に空間を形成できるように、わずかに弛緩し、または雌端部５６から分離する。
【００１４】
図２〜３を要約すると、雌部５６は１対のダブルカムレバーまたは耳４８を有し、それぞれは外部および内部レバー部６６、７０ならびにその上にカム部６８、７２を有し、そのカム部は、２つの部分が一緒に接合されるように、雌部のカム部６８、７２を雄部上の溝８６内に着座させることにより、雌端５６を雄端５８にロックする。カム部６２、６４は、耳６２、６４が軸７４上で枢動する際に雌端部５６の端部６０付近で壁内の開口８８を通って突起する。またそこにはガスケットまたはＯリングシール９８も雌部５６内に含まれ、ガスケットは、図８〜１３に示されたように従来の方式で雄端部５８の端部６０とシール接触させるために、雌部の内周の周囲全体に延在する。耳６２、６４は、それぞれが雌結合部５６の両側に装着された第１および第２のボス７８、８０を通って延在する軸７４上に装着される。内部および外部耳６２、６４は、それぞれが雌部５６に実質的に平行に雌部５６に隣接して置かれる第１の下方に閉じた位置と、カム部６８、７２が溝８６から係脱するように雌端から離れて外方に動いた第２の上方に開いた位置との間を動く。
【００１５】
操作者が本発明の教示に従って設計されたカムロック継手５４を開くために、操作者は、カムロック継手の内側に含有された内圧を部分的に軽減するようにカムロック継手５４を部分的に開くために、より大きいカムローブ６８が溝８６から遠ざかるように、最初に外部カムレバー６２を第１の下方に閉じた位置から第２の上方に開いた位置に動かさなければならない。カムロック継手５４内に圧力が残っていない場合、操作者は第２の内部カムレバー６４を開く次のステップに続けることができ、それによって図２の実施形態４８に関してまさに先に説明されたように雄導管部５８と雌導管部５６が分離する。しかし第１の外部カムレバー６２が開いたときにカムロック継手５４の内側に依然として圧力が存在する場合、操作者は、カムロック継手を再閉鎖して再封止するために雄端部５８を雌端部５６の内側のロック位置に戻すように、その第１の外部カムレバー６２を直ちに再閉鎖する。カムロック継手５４の内側に残っている圧力は、ガス漏れの音、スー音、浸潤、漏れもしくはドクドク流れる液体などによって示すことができる。
【００１６】
図３を見ると、そこには２軸７４、９０を有するダブルカムレバーの別の実施形態５０が示されていることを除いて、図２に類似した図が示されている。雌および雄端部５６、５８は基本的に図２に示されたものと同じであり、主な差異は、内部カム耳６４が孔９２内の軸９０を使用してボス７８、８０の上に装着されることであり、その軸９０は、図６〜７に最も良く示されたように、孔９４内でボス７８、８０の前端に向かって配置されるように、ローブ７２の中心から雌端部５６の前端６０に向かってずれている。軸９０および孔９２、９４は、図６に示されたように相互に位置合わせされる。この構成では、外部カム耳６２はカムローブ７２上に実質的に中心に配置された軸７４上で枢動する一方で、外部カム耳６２は、図６〜７および１１〜１３により良く示された、芯ずれ軸９０上で枢動するカムローブ部７２を有することにより、内部カム耳６４とともに担持され、外方に動く。実施形態５０の作動は実施形態４８に類似しており、作動のステップは図２の実施形態４８に関して先に開示されている。
【００１７】
図４および６を見ると、本発明の改良されたカムロック継手の２つの実施形態４８、５０は、雌端部５６から分解されており、図４は実施形態４８を示し、図６は実施形態５０を示す。そこには雌結合部５６上にボス７８、８０を示す雌端部５６の両側にダブルカムレバー４８、５０とともに、雌結合部５６の内側１００が示されている。開口８８は、本発明のカムローブの動きを収容する大きさおよび形状であることに留意されたい。ボス７８、８０は従来の方式で雌結合部５６の外側に取り付けられる。また先に開示された要素も、図２〜３のそれぞれの実施形態４８、５０に関して論じたように示されている。
【００１８】
図５および７を見ると、図２〜３のそれぞれの実施形態４８、５０に関して先に開示されたように２つの実施形態の特徴を示す、２つの実施形態４８、５０のカム部の拡大図が示されている。図５は１軸の実施形態４８を示し、図７は２軸の実施形態５０を示す。また先に開示された要素も、図２〜３のそれぞれの実施形態４８、５０に関して論じたように示されている。
【００１９】
図８〜１３を見ると、そこには本発明の教示に従って設計された、改良されたカムロック継手５４の２つの実施形態４８、５０の作動のステップが示されており、図８〜１０は実施形態４８を示し、図１１〜１３は実施形態５０を示す。各実施形態４８、５０に対して、そこには本発明のカムロック継手５４が開く際の雌部５６に対する雄端部５８の動きが示されており、ステップはカムロック継手を閉鎖するために逆行するはずである。図８および１１は、雄端部５８の端部６０が溝８６内にローブ６８、７２で雌端部５６の円形ガスケット９８の正面に対して緊密にシール係合され、またガスケット９８の背面が雌端部５６の内部フランジ１０４の前面に緊密に封止されるように、カムロック継手５４が下方に閉じた位置にダブルカムレバー６２、６４で封止された位置にあるときの状態であるはずであるように、雌部５６に連結され、緊密に噛合する雄端部５８を示す。
【００２０】
それと対照的に、図９および１２は開位置にある外部カムレバー６２のより大きいカムローブを示し、溝８６内に残っている内部カムレバー６４のより小さいカムローブ７２を示し、またその端部６０とガスケット９８との間に画定される小さい空間１０６を備えた雄端部５８も示し、この空間は外部カムレバー６２が上方に開いた位置にあるときに生じるはずであり、それにより雌端部５６および雄端部５８の端部６０がわずかに分離し、それによってカムロック継手５４の雌部５６の内側から矢印１０８で示されたように圧力または少量の材料を放出することができる。矢印１０８は空間１０６の中を動き、次いで雄結合部５８と雌結合部５６との間に漏れることにより継手５４から出る材料／流体を示す。図１０および１３は、外部および内部カムレバー６２、６４が開位置に移動するときのみ、雄端部５８は雌端部５６から完全に開放されることが可能であることを示し、これが起きたときに各ローブ６８、７２は、雄端部５８および雌端部５６が互いから完全に分離できるように溝８６から係脱される。また先に開示された要素も示されていることがある。
【００２１】
図１４〜１５を見ると、仮想線で溝８６とともに雄端部５８の一部も示す雌端部５６上に装着された、本発明の改良されたカムロック継手の２つの実施形態４８、５０が示されており、図１４は実施形態４８を示し、図１５は実施形態５０を示す。そこには雌結合部５６上にボス７８、８０を示す、雌端部５６の片側上のみにダブルカムレバー４８、５０とともに雌端部５６の内側１００が示されている。開口８８は、本発明のダブルレバーのカムローブの動きを収容する大きさおよび形状であることに留意されたい。またローブおよびレバーは、本発明の教示を達成するように、ローブおよびレバーが有効にサイズ化され形状化される限り、示されている以外の多くの形状および厚さを有することができることが明らかであり、そのすべては当業者に理解されるはずである。ボス７８、８０は、従来の方式で雌結合部５６の外側に取り付けられる。図１５では、軸７４、９０は同じ水平面に置かれ、したがって孔９２内の前軸９０のみがこの図面では見える。また先に開示された要素も、図２〜３のそれぞれの実施形態４８、５０に関して論じたように示されていることがある。
【００２２】
図１６〜１７を見ると、図２〜３のそれぞれの実施形態４８、５０に関して先に開示されたように、２つの実施形態の特徴を示す２つの実施形態４８、５０のダブルカムレバー／耳の拡大図が示されている。図１６は実施形態４８を示し、図１７は実施形態５０を示す。図１６、１７では、外部カム耳６２のカムローブ６８は、１１２に示されたように内部カム耳６４のカムローブ７２より大きい、すなわち閉じたときに見えるその後周部１１２上により大きい半径を有する。図１６〜１７については、カム部６８はその中心軸を通るその水平面で測定したときに、カム部７２より大きい半径をその後部１１２上に有するので、カム部６８はしたがって補完的な大きさの溝８６を有効に実質的に嵌合または係合することにより、図８および１１に示されたようにガスケット９８と雄端部５８との間に完全な封止をもたらすが、外部カムレバー／耳６８が開いた後、より小さいカムローブ部７２が溝８６の中に突出すると、溝を完全には満たさないので、空間１０６は雄端部５８の端部６０と雌端部５６のガスケット９８との間に、図９および１２に示されたように形成される。図１０および１３は、開位置におけるカムレバー／耳６２、６４と完全に分離した雌端部５６および雄端部５８を示す。
【００２３】
図１８を見ると、そこには内部カムレバー６４がその後周部１１２上で外部カムレバー６２より大きいことを示す、本発明の代替実施形態が示されている。また先に開示された要素も示すことができる。図２５は、内部カムレバー６４が外部カムレバー６２より大きいことを示す、図１８の代替実施形態の上面図を示す。
【００２４】
図１９を見ると、そこには先に開示された要素を示す、本発明の第１の実施形態の内部カムレバー６４の上面図が示されている。またカムローブ部７２のフォーク端部の先端の間の空間／切欠き１１０も示されている。カムローブ部７２はフォーク部の先端を形成することがわかる。
【００２５】
図１〜１９を参照すると、カム部材６２、６４はカムロック継手／結合部５４の中心線に実質的に平行に枢動し、軸７４、９０は中心線に実質的に垂直であり、カム部材は、カムローブ６８、７２および軸が、各実施形態４８、５０により、必要に応じて溝８６と適切に作動可能に位置合わせされるようにボス７８、８０上に配置され、そのすべてが当業者に理解されるはずである。軸７４、９０は中空ピン、またはロールピンなどであってもよい。カム部材６２、６４は、雌導管５６の両側に実質的に１８０度離れて配置され、したがってカム部材の作動からもたらされる関連した応力またはトルクに関するすべての機械的力は、カムロック継手５４の周囲に均等に配分される。これは継時的に本発明１０の要素が歪むのを防ぐ。
【００２６】
図２０〜２４を見ると、そこには本発明１０の一実施形態が示されており、この実施形態は、操作者がレバーを開く前に操作者が第１および第２のレバー６２、６４を開くためにプルリング１１４などを使用しなければならず、または図２２に示されたように、操作者はプルリング１１４を使用して、レバー掛金機構１１３をその上に有するはずである１つのレバーのみを開くはずであるように、レバー６２、６４が開位置から閉位置に動くとき、レバー６２、６４が自動的に閉位置に掛金を掛けるように、概ね参照番号１１３で示された、レバー６２、６４上に配置された自動レバー掛金機構を提供する。いずれの実施形態でも、操作者はレバー６２、６４を開くことができる前にレバー掛金機構１１３を操作しなければならないはずであり、それによってカムレバーが不注意に開くことを防ぐ。内部レバー６４は、操作者／使用者による操作が便利で容易であるために外部カムレバー６２より短い。また先に開示された要素も、図２〜３のそれぞれの実施形態４８、５０に対して論じたように示されている。
【００２７】
引き続き図２０〜２４を参照すると、そこには雌端部５６の両側に装着された１対のダブルカムレバー６２、６４を有する本発明１０が示されており、各対は外部カムレバー６２および内部カムレバー６４を有する。外部カムレバー６２はレバー部６６および偏心カムローブ部６８を有し、また内部カムレバー６４もレバー部７０ならびに第１および第２の偏心カムローブ部７２を有し、第１および第２のカムローブ部はフォーク形状であり、一定距離を離間され、それによってカムローブ部６８がその中に嵌合できるような十分な切欠き１１０または空間が生成し、切欠き１１０または空間の間で内部および外部カムレバー６２、６４が雌端部５６を中心に対称に配置され、これにより本発明１０の教示に従って作成されたカムロック継手５４の耐用期間にわたって平滑な作動が確実になる。図２０、２１、２３および２４は、１軸７４を使用する実施形態４８を開示しているのに対して、図２２は２軸７４および９０を使用する実施形態５０を開示している。
【００２８】
図２０を見ると、そこには雌端部５６から離れて分解された本発明１０が示されており、実施形態４８を組み込む。そこには雌結合部５６上にボス７８、８０を示す雌端部５６の両側にダブルカムレバー４８とともに、雌結合部５６の内側１００が示されている。開口８８は、本発明のカムローブの動きを収容する大きさおよび形状であることに留意されたい。ボス７８、８０は従来の方式で雌結合部５６の外側に取り付けられる。また雄端部５８は一部が破線で示されている。また先に開示された要素も、図２〜３のそれぞれの実施形態４８、５０に関して論じたように示されている。
【００２９】
また図２０にはピン１１８の端部１１６に取り付けられたプルリング１１４も示されており、プルリングはピンの端部上のスロットまたは孔１２０を通過し、そのピンは、各レバー６２、６４が筐体１２２およびその上に装着されたピン１１８を有するように、レバー６２、６４の側面上に取り付けられた筐体１２２内に摺動可能に配置されている。プルリング１１４はレバー６２、６４を操作するために有効な多回転ワイヤーリングであってもよい。ピン１１８は、ピンがレバー６２、６４の長手軸に沿って摺動するように、筐体１２２内に摺動可能に配置されるように筐体の内側に装着されることを留意されたい。またピン１１８は、その上に傾斜表面１２６を有する第２の端部または頂点１２４も有する。ピン１１８は、レバー６２、６４が閉位置にあるときに、ピン１１８の頂点１２４が図２３に最も良く示されたようにボス７８の後部上に配置された、上部および下部の対応する保持突出部１２８、１３０の後部の下に掛金を掛けるように、それぞれのレバー６２、６４の軸に沿って延在し、かつ摺動可能である。
【００３０】
引き続き図２０〜２４を参照すると、レバー６２、６４のそれぞれのプルリング１１４がピン１１８の軸に沿った方向に雌導管５６の端部８４に向かって後方に引かれると、ピン１１８は、当業者には理解されるはずであるように、バネ１３２である付勢部材に対して筐体１２２内の穴の中で移動される。作動時にレバー６２、６４が開位置からロック位置に枢動すると、各ピン１１８のピン１２４の先端の傾斜表面１２６は、それぞれの保持突出部の保持突出部１２８、１３０の後上表面に対して最終的に当接するので、ピンの先端１２４は、対応するレバー６２、６４のさらなる枢動運動に起因して、それぞれの保持突出部１２８、１３０の表面を横切って下方に動くので、ピン１１８の先端１２４は、ピン先端１２４が図２３に最も良く示されたように各レバー６２、６４上に示された内部バネ１３２の作用に起因して、筐体１２２から延在するように押し付けられる際に、それぞれの保持突出部１２８、１３０の下に最終的に位置付けられる。作動時に操作者がレバー６２、６４を係脱または開き、レバー６２、６４を閉位置から開位置に移動することを望むとき、プルリング１１４は、後方に引かれてバネ１３２の付勢作用に対して筐体１２２の中にレバー６２、６４内のピン１１８のそれぞれの先端１２４を収縮して戻すので、ピン１２４の先端はそれぞれの保持突出部１２８、１３０の後部の下から係脱され、次いでレバー６２、６４はロック解除した位置に上方に枢動することができるので、本発明１０の結合部５６、５８は図２４に最も良く示されたように係脱することができる。この方式で、雄結合部５８および雌結合部５６は分離または離断することができ、そのすべてが当業者に理解されるはずである。
【００３１】
図２１を見ると、そこには先に開示されたレバー掛金機構１１３と組み合わせて示された、本発明１０の図５に関して先に開示されてきた実施形態４８が示されている。
【００３２】
図２２を見ると、そこには先に開示されたレバー掛金機構１１３と組み合わせて示された、本発明１０の図７に関して先に開示されてきた実施形態５０が示されている。
【００３３】
図２２〜２４を見ると、そこには、付勢バネ１３２などとともに筐体１２２も示す、それぞれのピン１１８の端部において孔１２０を通って取り付けられる、それぞれのレバー６２、６４上に配置されたプルリング１１４を示す、本発明１０の一部を切り取った側面図が示されており、ピンの先端１２４は、傾斜表面１２６およびボス７８上に配置されたそれぞれの保持突出部１２８、１３０とともに示されている。図２３は図８に類似した閉位置におけるレバー６２、６４を示し、図２４は図１０に類似した開位置におけるレバー６２、６４を示し、レバー６２、６４のプルリング１１４は、ピン１２４の先端がもはやボス７８の対応する保持突出部１２８、１３０の下に捕捉されないように、操作者／使用者の指１３４によって操作されて動かされている。内部レバー６４は操作者／使用者による操作が便利で容易であるために外部レバー６２より短い。レバー６２、６４は、レバー６４の先端１２４が保持突出部１３０と噛合し、レバー６２の先端１２４が保持突出部１２８と噛合するように構成される。方向矢印は、要素の運動を示すためにある特定の図面に示されている。
【００３４】
図２５を見ると、そこには図１８に関して先に開示されたように、外部カムレバー６２より大きい内部レバー６４を示す、代替実施形態の上面図が示されている。内部アーム６４は、内部アーム６４を外部アーム６２に接触または干渉することなく、閉位置から開位置に動くかすことができるように構成され、大きさにされ、形状にされていることがわかる。これは内部アーム６４と外部アーム６２との間に空間１３６を提供することによって達成され、これにより外部アームを動かすことなく内部アームを操作できるように、内部アーム６４は外部アーム６２を実質的に包囲できる。外部および内部カムレバー６２、６４の長手方向中心軸は、外部レバーの軸が内部レバーの軸の上に直接あるように相互に位置合わせされることがわかる。
【００３５】
追加の要約のため、また図１〜２５を参照して、本発明は、ａ）その上に端部６０を有する雄導管５８および端部に隣接した外周溝８６を有し、ｂ）雄導管を受領し、外周溝と反対側に１対の対向する側部開口８８を有するための雌導管５６を有し、ｃ）雄導管と雌導管の端部の間９８で封止し、ｄ）第１および第２の対のカム部材を有し、各対は合計４つのカム部材が存在するように第１の（外部）カム部材６２および第２の（内部）カム部材６４を有し、１対、すなわち２つのカム部材は雌導管の両側に枢動可能に配置され、各カム部材は、雌導管に隣接して置かれるレバー部６６、７０、および第１の（外部）カム部材６２上により大きく、またはより有効な大きさもしくは形状にされたカム部を備えたカム部６８、７２を有し、カム部は、レバー部が第１の閉位置（図８および１１参照）において雌導管に隣接して置かれたときに、側部開口を通過し、外周溝を係合し、各レバー部は、カム部を外周溝から係脱するために、雌導管から離れて第２の開位置に外方に移動可能であり（図１０および１３参照）、ｅ）各レバー部が第１の位置にあるとき（図８および１１参照）、雄および雌導管は連結され、それによってその間の漏れを防ぎ、ｆ）第１のカム部材のレバー部が第２の位置にあり、第２のカム部材のレバー部が第１の位置にあるとき（図９および１２参照）、雄および雌導管はわずかに分離され、すなわち緩く嵌合し、それによってその間に漏れる可能性であり、漏れが操作者に観察された場合、第１のカム部材のレバー部は、雄および雌導管が再連結できるために第１の位置に動いて戻される、カムロック継手５４として記載されてもよい。
【００３６】
さらに第２のカム部材のカム部はフォーク状であり（図１９参照）、フォークはその間に空間１１０を有し、第１のカム部材のカム部はそれぞれの空間内に枢動可能に配置され、第１および第２のカム部材は第１の軸７４上で枢動し、または第１のカム部材は第１の軸７４上で枢動し、第２のカム部材は第２の軸９０上で枢動する。代替実施形態では、内部カムレバー６４は外部カムレバー６２より大きい。また各側部開口に隣接して装着された保持突出部１２８、１３０、ならびに各レバー部が閉位置から開位置に動くのを防ぐために、ピンの遠位端１２４を保持突出部の１つと係合させる各ピン筐体内でピン１１８に装填されたバネ１３２、および操作者が各レバー部を閉位置から開位置に動かすことができる保持突出部と係合しているピンを引き抜くことができるように、ピンの近位端１１６に取り付けられた引張部材１１４などの、各カム部材の各レバー部に取り付けられたピン筐体１２２を有する掛金機構１１３も有する。
【００３７】
新規であり、特許証によって保護されることが望ましいと主張されるものは、添付の特許請求の範囲に記載されている。
【図１】
0006810266.tif 000002
【図２】
0006810266.tif 000003
【図３】
0006810266.tif 000004
【図４】
0006810266.tif 000005
【図５】
0006810266.tif 000006
【図６】
0006810266.tif 000007
【図７】
0006810266.tif 000008
【図８】
0006810266.tif 000009
【図９】
0006810266.tif 000010
【図１０】
0006810266.tif 000011
【図１１】
0006810266.tif 000012
【図１２】
0006810266.tif 000013
【図１３】
0006810266.tif 000014
【図１４】
0006810266.tif 000015
【図１５】
0006810266.tif 000016
【図１６】
0006810266.tif 000017
【図１７】
0006810266.tif 000018
【図１８】
0006810266.tif 000019
【図１９】
0006810266.tif 000020
【図２０】
0006810266.tif 000021
【図２１】
0006810266.tif 000022
【図２２】
0006810266.tif 000023
【図２３】
0006810266.tif 000024
【図２４】
0006810266.tif 000025
【図２５】
0006810266.tif 000026